(57)【要約】【課題】本発明は、使用の便利さと安全性に加え、装飾性に対しても、多様なニーズに充分対応できる結束具の製造方法を提供することを目的とする。【解決手段】可撓性の芯材（１）をチューブ（２）内に挿入した後、前記チューブ（２）に糸（３）を巻き付けて、前記チューブ（２）を前記心材（１）に固定し、更に、前記チューブ（２）を被覆した前記芯材（１）の両端側を、保護材（４）で被覆した後、その保護材（４）を糸（５）で巻き付けて固定し、次いで前記保護材（４）間の前記チューブ（２）の上に毛糸（６）を巻着して被覆した後、前記毛糸（６）の上にカラー紐（７）を装着し、該カラー紐（７）を細糸（８）で巻き固定し所定の太さに形成したことを特徴とする。【選択図】図１
2015228886.tif 000002
【特許請求の範囲】
【請求項１】
可撓性の芯材（１）をチューブ（２）内に挿入した後、前記チューブ（２）に糸（３）を巻き付けて、前記チューブ（２）を前記心材（１）に固定し、更に、前記チューブ（２）を被覆した前記芯材（１）の両端側を、保護材（４）で被覆した後、その保護材（４）を糸（５）で巻き付けて固定し、次いで前記保護材（４）間の前記チューブ（２）の上に毛糸（６）を巻着して被覆した後、該カラー紐（７）を細糸（８）で巻き固定し所定の太さに形成したことを特徴とする結束具の製造方法。
【請求項２】
可撓性の芯材（１）をチューブ（２）内に挿入した後、前記チューブ（２）に糸（３）を巻き付けて、前記チューブ（２）を前記心材（１）に固定し、更に、前記チューブ（２）を被覆した前記芯材（１）の両端側を、保護材（４）で被覆した後、その保護材（４）を糸（５）で巻き付けて固定し、次いで前記保護材（４）間の前記チューブ（２）の上に毛糸（６）を巻着して被覆した後、前記保護材（４）の裾部にモール（９）を巻着し、更に、前記毛糸（６）の上にカラー紐（７）を装着し、該カラー紐（７）を細糸（８）で巻き固定し所定の太さに形成したことを特徴とする結束具の製造方法。
【請求項３】
前記心材（１）が、アルミニュウム製の線材であり、１本又は複数本を並列にして使用する請求項１又は２記載の結束具の製造方法。
【請求項４】
前記保護材（４）が、皮材あるいは布製の十字状帯片であり、それを、前記チューブ（２）を被覆した前記芯材（１）の両端側に被覆した請求項１，２又は３記載の結束具の製造方法。
【請求項５】
前記カラー紐（７）の装着が、各色別の前記カラー紐（７）を複数本組み合わせ、それを螺旋状に巻着する請求項１、２、３又は４記載の結束具の製造方法。
【発明の詳細な説明】
【技術分野】
【０００１】
本発明は、棒状で自在に折り曲げでき、髪や長物を束ねたりする際に使用する結束具の製造方法に関する。
【背景技術】
【０００２】
従来、結束具としては、ゴム紐、結束線、樹脂製の結束具あるいは長い髪を束ねたり、髪型を維持する際に使用する髪止め具等がある。
また、特許文献１（実用新案登録第３０３１９０７号公報）及び特許文献２（特開２００６−２９６５１２号公報）には、髪を結束する髪止め具が開示されている。
この特許文献１のものは、可撓性のある芯材と、この芯材を包覆する包覆材とからなる髪止め具であり、芯材の可撓性を利用して簡単な操作で短時間に所望の髪型を形成し、包覆材で髪や皮膚を傷めることがないというものである。
他方、特許文献２のものは、樹脂及びゴム材の少なくとも一方からなる保護層で覆われた変形可能な金属棒と、前記金属棒の両端部に着脱自在に設けられた端部カバーと、を備えている髪止め具であり、これにより、髪の結束作業時や結束解除作業時において、不快感がなく容易に作業が可能で、多様な装飾効果を得るというものである。
【先行技術文献】
【特許文献】
【０００３】
【特許文献１】実用新案登録第３０３１９０７号公報
【特許文献２】特開２００６−２９６５１２号公報
【発明の概要】
【発明が解決しようとする課題】
【０００４】
しかしながら、従来のゴム紐、結束線、樹脂製の結束具は、単に結束する機能しかなく、意匠的効果に乏しく、また、特許文献１のものでは、金属製の芯材に布等の包覆材を包覆しただけであるから、包覆材のクッション性に欠け、特に芯材両端の角部等を包覆材でカバーしても、クッション性及び耐久性を有した状態で充分にカバーできず、時として芯材の角部が露出して頭皮を損傷する虞を有していた。
また、包覆材にしても布等であるから、ファッション性にも欠け、多様なニーズに対応できない問題点を有していた。
他方、特許文献２のものでは、上記のような芯材の角部等で頭皮を損傷する虞はないが、樹脂やゴム材の保護層で金属棒部を覆ったものであるから、この保護層の材質からして、髪止め具の表面を種々デザイン化することが難しく制限され、多様なニーズに充分対応できないこと、更に端部カバーが着脱自在に設けられている関係上、時として使用中に端部カバーが脱落し、金属棒部が頭皮に当たる虞もある等の問題点を有していた。
【０００５】
本発明は、上記現状に鑑み、使用の便利さと安全性に加え、装飾性に対しても、多様なニーズに充分対応できる結束具の製造方法を提供することを目的とする。
【０００６】
他の目的は結束具の製造にあたり、金属性の芯材全体を確実に被覆することができ、使用中に芯材が露出することがない安全な結束具の製造方法を提供するにある。
【課題を解決するための手段】
【０００７】
本発明は、可撓性の芯材（１）をチューブ（２）内に挿入した後、前記チューブ（２）に糸（３）を巻き付けて、前記チューブ（２）を前記心材（１）に固定し、更に、前記チューブ（２）を被覆した前記芯材（１）の両端側を、保護材（４）で被覆した後、その保護材（４）を糸（５）で巻き付けて固定し、次いで前記保護材（４）間の前記チューブ（２）の上に毛糸（６）を巻着して被覆した後、前記毛糸（６）の上にカラー紐（７）を装着し、該カラー紐（７）を細糸（８）で巻き固定し所定の太さに形成したことを特徴とする。
【０００８】
また、本発明は、可撓性の芯材（１）をチューブ（２）内に挿入した後、前記チューブ（２）に糸（３）を巻き付けて、前記チューブ（２）を前記心材（１）に固定し、更に、前記チューブ（２）を被覆した前記芯材（１）の両端側を、保護材（４）で被覆した後、その保護材（４）を糸（５）で巻き付けて固定し、次いで前記保護材（４）間の前記チューブ（２）の上に毛糸（６）を巻着して被覆した後、前記保護材（４）の裾部にモール（９）を巻着し、更に、前記毛糸（６）の上にカラー紐（７）を装着し、該カラー紐（７）を細糸（８）で巻き固定し所定の太さに形成したことを特徴とする。
【０００９】
また、前記心材（１）が、アルミニュウム製の線材であり、１本又は複数本を並列にして使用するのがよい。
【００１０】
また、前記保護材（４）が、皮材あるいは布製の十字状帯片であり、それを、前記チューブ（２）を被覆した前記芯材（１）の両端側に被覆するのがよい。
【００１１】
また、前記カラー紐（７）の装着が、各色別のカラー紐（７）を複数本組み合わせ、それを螺旋状に巻着するのがよい。
【発明の効果】
【００１２】
本発明では、前記芯材（１）にチューブ（２）、毛糸（６）、カラー紐（７）あるいはモール（９）、を順次積層して被覆したことにより、これらの厚さや太さ及び色によって、結束具全体の太さを自由に調整でき、使用者の好みに合った太さやカラー模様の結束具が製造できる。
しかも、チューブ（２）、毛糸（６）、カラー紐（７）、モール（９）、等は柔軟性を有するものであるから、これらを芯材（１）に積層して太くしても、芯材（１）自体の可撓性は変わらずに、得られた結束具の柔軟性には殆んど影響せず、本発明で製造された結束具は自由自在に曲げ変形できると共に、使用時に変形させた状態を確実に保持し、結束した髪やの形状が崩れたり、結束した物が散らばることもない。
【００１３】
また、前記芯材（１）の両端には、保護材（４）を被せた状態で固定して装着したので、被せた保護材（４）が破れたり外れたりせず、芯材（１）の両端が決して剥き出しにならず、人体に使用する場合、硬い芯材（１）が人体に当たることもなく、極めて安全なものである。
【００１４】
前記芯材（１）に被覆したチューブ（２）、保護材（４）、カラー紐（７）等がすべて糸（３）、（５）や細糸（８）で固定されるため、固定作業が単素化され、機械化が可能となりコスト低減を図れると共に、補修の際に糸（３）、（５）や細糸（８）を解けば容易に保護材（４）、カラー紐（７）等の交換が自由にできる。
更に、糸（３）、（５）や細糸（８）の使用は、接着剤と比べ、水に濡れたり、あるいは結束具を曲げたり伸ばしたりを繰り返してもほぐれ難く、チューブ（２）、保護材（４）、カラー紐（７）等の固定を確実に維持できるからである。
【００１５】
また、本発明の製造方法で得られた結束具に於いては、人体に使用した場合に、髪止め具として使用すると、芯材（１）はチューブ（２）と毛糸（６）及びカラー紐（７）とでもって、多重に被覆された状態であるから、結束する物との接触感がよく、髪の結束性を高め、髪を傷めこともなく、腕や足飾りに使用すると腕や足に馴染み付け心地がよい。
特にカラー紐（７）の使用により、多種多様なデザインを可能となし、意匠性に優れ、使用する人にとっても楽しいものとなる。
【図面の簡単な説明】
【００１６】
【図１】本発明の製造方法の工程を示す説明図である。
【図２】本発明の他の製造方法の工程を示す説明図である。
【図３】本発明の並列状態で使用する芯材とチューブの関係を示す説明図である。
【図４】本発明の保護材の一例を示す平面図である。
【発明を実施するための形態】
【００１７】
本発明の実施形態につき図を基に説明する。図１において、本発明の製造方法は、先ず、図１(a)に示すように、可撓性の芯材（１）をチューブ（２）内に挿入する。
この可撓性の芯材（１）としては金属製の線材であり、特には、アルミニュウム線材がよく、且つ、線径が２〜４ミリ程度のものが錆難く曲げ易い点で好ましく、長さは使用用途により設定されるが、例えば、髪を束ねる髪止め具として使用する場合には、２５〜４０ｃｍ程度が好ましい。
【００１８】
また、チューブ（２）は天然または合成のゴム製、あるいは軟性樹脂製の細長な管状のものであり、穴径としては芯材（１）が容易に挿入できる大きさであり、例えば、芯材（１）が３ｍｍ径ではチューブ（２）の穴径を３〜３.５ｍｍ程度、芯材（１）が２ｍｍ径の２本を束ねて使用した場合には、穴径を４から４.５ｍｍ程度とすればよい。チューブ（２）の肉厚は１〜３ｍｍ程度である。
図１(a)に示したように、１本の芯材（１）の場合は、チューブ（２）は芯材（１）の長さと同じでもよいが、挿入した芯材（１）の両端からチューブ（２）が３ｃｍ〜５ｃｍ程度突出する長さにして、その突出した部分を折り返すと、芯材（１）の両端も完全にチューブ（２）で被覆され好ましい。
また、図３のように、芯材（１）を２本並列に使用した場合、芯材（１）と同じ長さのチューブ（２）に芯材（１）を挿入して、芯材（１）をチューブ（２）でループ状に被覆し、それを折り曲げ、２本並列にした状態で使用してもよい。その際にチューブ（２）両端の当接部（2a）には芯材（１）を貫通させている。
【００１９】
そして、図１(b)のように、芯材（１）をチューブ（２）中に挿入した後、前記チューブ（２）の上から糸（３）を巻き付けて、前記チューブ（２）を前記心材（１）に固定する。
この固定する糸（３）は、０.２〜０.４ｍｍ程度の細いテングス糸が使用され、このテングス糸で固定する際には、芯材（１）の両端側を細かいピッチできつく巻き、他の中央部分は荒くきつく巻くのがよい。
これにより、チューブ（２）が芯材（１）からずれることがなく、しかも芯材（１）の両端側を除いた部分は、荒く巻かれているため、チューブ（２）がテングス糸で殆んど潰されずに弾性を保持した状態で芯材（１）を被覆するので、使用時に芯材（１）に対するクッション性を高める。
【００２０】
更に、図１(c)に示すように、前記チューブ（２）を被覆した前記芯材（１）の両端側を、保護材（４）で被覆した後、その保護材（４）を糸（５）で巻き付けて固定する。この糸（５）はテングス糸が結束性や耐久性に面で好ましい。
この保護材（４）で被覆するのは、芯材（１）の両端をチューブ（２）で被覆しても、使用中にチューブ（２）は破れ易く、チューブ（２）だけでは芯材（１）が露出する虞があるため、破れ難い保護材（４）を更に被覆して芯材（１）が露出するのを完全に防止している。
【００２１】
使用する保護材（４）としては、皮材あるいは布材を使用した正方形、円形、十字状帯等の皮片や布片等であり、特には図４に示したように、柔らかな鞣皮を使用した十字状帯片が好ましく、この十字状帯片の中央に芯材（１）の端部を位置させて巻着するのがよい。
この十字状帯片で芯材（１）の両端を包んだ際には、保護材（４）の裾部に皺ができ難く、その裾部を糸（５）で巻き付けて固定するのに見栄えがよく、しかも余分な皺等があまりないので、きつく固定できるのである。
この保護材（４）は芯材（１）の両端を包むように被覆させ、保護材（４）の裾部をテングス糸（５）できつく巻きつけて、保護材（４）を芯材（１）の両端側に固定する。
【００２２】
次いで、図１(d)に示すように、前記保護材（４）間の前記チューブ（２）の上に、毛糸（６）を巻着して被覆する。
この毛糸（６）を巻着するのは、結束具の太さを所望の太さにし、全体のボリューム感を出すためである。
【００２３】
そして、図１(e)に示すように、前記毛糸（６）の上にカラー紐（７）を装着し、このカラー紐（７）が前記保護材（４）を除いた前記芯材（１）の略全長にわたって装着される。
このカラー紐（７）としては、毛糸、組紐、スターヤーン、撚糸、テープ紐、装飾用モール等を含み、色付きのものである。カラー紐（７）を芯材（１）に装着させるには、蜜な旋線状に巻着したり、芯材（１）の長手方向に並べて全周被覆してもよい。
この際に各色のカラー紐（７）を複数本組み合わせて使用すると、変化に富んだカラー模様を醸し出し装飾効果が発揮される。
尚、図１(e)では２色のカラー紐（７）を使用し、それを旋線状に巻着した状態のものである。
【００２４】
そして、装着したカラー紐（７）に細糸（８）を荒く巻着して前記カラー紐（７）を固定する。この細糸（８）は目立たない色が使用される。
【００２５】
また、本発明の請求項２では、図２に示すように、前記した図１の製造工程の外に、前記保護材（４）の裾部にモール（９）を巻着する図２（e）の工程を追加している。
つまり、図２において、図２（a）〜図２（d）までの工程は、前記した図１の製造工程と同じであるが、次に図２（e）の前記保護材（４）の裾部にモール（９）を巻着する工程を行い、そして図２（f）の前記カラー紐（７）を装着する工程を行っている。
このモール（９）は、装飾用の柔軟性に富んだ紐状であり、太さが約４〜８ｍｍ程度のものであり、これを前記保護材（４）の裾部に、螺旋状に巻着して被覆させている。
これにより、前記保護材（４）の糸（５）で固定された硬い裾部分にクッション性が得られ、より使用感をよくする役目を成す。
尚、図２の工程において、モール（９）を巻着する以外の工程は、前記した図１の工程と同様であるから、説明を省略する。
【００２６】
以上の通り、本発明では、金属製の芯材（１）がチューブ（２）と保護材（４）で完全に被覆されて、それらが脱落することがなく破れることもないため、極めて安全に使用することができる。
しかも、自由に折り曲げできると共に、カラー紐（７）の使用でカラフルな模様を自由に表現できる。
従って、本発明の結束具は、細長な物を束ねたり、袋物の入り口を止めたり、あるいはＣ字状やＳ字状に変形して装飾フックとしても使用でき、特には、髪止めあるいは髪飾り、足や腕飾りに使用すると最適である。
【符号の説明】
【００２７】
１  芯材
２  チューブ
３  糸  
４  保護材
５  糸
６  毛糸
７  カラー紐
８  細糸
９  モール
【図１】
2015228886.tif 000003
【図２】
2015228886.tif 000004
【図３】
2015228886.tif 000005
【図４】
2015228886.tif 000006